(57)【要約】      （修正有）【課題】フォトセンサーを使い複数本並ぶＷｅｓｔｅｒｇｒｅｎ法を使用する血沈計測用血沈チューブ内の血液の沈降位置をソフトウエアによって処理し、それぞれの血沈位置を測定し自動で赤血球沈降速度を計測する装置を提供する。【解決手段】フォトセンサーを保持する保持機構７とフォトセンサーを移動する昇降機構からなる駆動部と、測定を開始したことを制御装置に入力するスイッチ４と、制御装置からの信号を受信し点灯する表示器とからなる入出力部と、制御部から送信される信号を解析し血漿と血球との位置を計測するソフトウエアとからなる赤血球沈降速度自動測定装置。【選択図】図１
2016070746.tif 000002
【特許請求の範囲】
【請求項１】
フォトセンサーとそれを上下させるための昇降機構部と、
制御部と、測定を開始するスイッチとからなる測定ユニット、又制御装置からの信号を
取り込みフォトセンサーの信号を解析し血清と血球との位置を計測するＰＣユニット、
それにかかわるソフトウエアとからなる赤血球沈降速度自動測定装置。
【請求項２】
フォトセンサーを使用し複数の血沈チューブを
非同期に測定できることを特徴とする請求項１記載の赤血球沈降速度自動測定装置。
【発明の詳細な説明】
【技術分野】
【０００１】
本発明は、フォトセンサーの信号から血沈チューブ内の血漿と血球の位置を測定し赤血球沈降速度を自動計測することに関する。
【背景技術】
【０００２】
赤血球沈降速度の計測は一般的に、人がストップウォッチやタイマー、時計などを使い６０分間目視にて血漿と血球が分離していく様子を計測する。
【０００３】
赤血球沈降速度の測定は、抗凝固剤により凝固を抑制された血液を細い管に封入し直立することにより時間の経過に伴い赤血球が沈降し、上部に血漿柱を残す。この血漿柱の高さを時間で測定したものが赤血球沈降速度である。
【０００４】
赤血球の沈降は血球が凝集するほど、また血漿の粘度が小さいほど促進される。しかし骨髄腫等ではグロブリンにより血漿粘度が著しく増加しても、赤血球凝集がさらに著しく結果として赤血球沈降速度は亢進すると言われている。
【０００５】
赤血球沈降速度の計測には、Ｗｅｓｔｅｒｇｒｅｎ法と言うものが多く使用される。これは、内径２．５ｍｍ高さ３０ｃｍのガラス管（以下血沈チューブと言う）に２０ｃｍの高さ（ 目盛り０ｍｍ ）まで血液を入れ、それを垂直に立てて1時間後に上部の血漿柱の高さをｍｍ／時間と判定する方法である。
【０００６】
通常この血沈チューブに入れられた血液の沈降を目視で６０分間確認し、その沈降速度が一般的に言われている基準と比較してその判定を行う。
【０００７】
この赤血球沈降速度の計測では、判定が出るまで６０分を要し、時間がかかると言う問題があり、且つ人が目視で確認するため必ず人を長時間置かなければならないと言う問題があった。
【０００８】
その他、電気振動を加えその信号の変化から沈降速度を演算するものや（特許文献１）、粘性測定器を用いて被測定血液の対数減衰率を求め、予め定められた血液の対数減衰率と沈降速度との関係を示す関係式に基づいて、非測定血液の対数減衰率から血液の沈降速度を演算するもの（特許文献２）など、Ｗｅｓｔｅｒｇｒｅｎ法に対して短時間で沈降速度を求めることができるが、Ｗｅｓｔｅｒｇｒｅｎ法とは異なるためその確からしさに問題があると言われているものや、血沈を計測する血沈チューブに赤外光を照射しセンサによりその透過光を計測して沈降速度を演算するもの（特許文献３）などがある。
【先行技術文献】
【特許文献】
【０００９】
【特許文献１】特開２００４−１２５６５５号公報
【特許文献２】特開平６−３４７４５８号公報
【特許文献３】特開昭５９−１４７２６５号公報
【発明の概要】
【発明が解決しようとする課題】
【００１０】
本発明は、フォトセンサーを使い複数本並ぶＷｅｓｔｅｒｇｒｅｎ法で使用する血沈計測用血沈チューブ内の血液のそれぞれの血沈位置を測定し自動で赤血球沈降速度を計測する装置であることを目的とする。
【課題を解決するための手段】
【００１１】
本発明は、
（１）請求項１のフォトセンサー１とそれを上下する昇降機構２、測定を開始したことを制御装置３に入力するスイッチ４と、制御装置３からの信号を受信し血漿と血球との境界面位置を表示する表示器５、からなる赤血球沈降速度自動測定装置。
（２）フォトセンサーによって複数の血沈チューブを非同期に測定できることを特徴とする（１）記載の赤血球沈降速度自動測定装置。
である。
【００１２】
本発明で使用する電気的接続は、ＵＳＢにて制御装置に接続するものを使用する。
【００１３】
フォトセンサー１を上下する昇降機構２は
振動の発生が少ない構造のフレームを使用し、測定位置計測に支障が起こらない強度の
アルミニウムやステンレス、樹脂等の材質のものを使用する。
【００１４】
血沈の計測の開始は、血沈チューブと１対１に用意されたスイッチ４を押すことで
行われる。スイッチ４が押された信号は制御装置３に入力され、血沈チューブ毎に個別に用意された制御装置内のタイマーを動作させる。
【００１５】
フォトセンサー１からの信号は、制御装置３に入力されスイッチ４、により
選択された血沈チューブ個別のデータとして処理される。
【００１６】
それぞれの血沈チューブデータとはスイッチ４が押された時点からの血球と結晶の境目の位置を時間経過による位置測定する。
【００１７】
血沈チューブ毎に予め設定されたインターバル時間にしたがって、定期的に得られた位置データを測定する過程で、予め設定された敷居値を超える血沈チューブの有無を確認し、敷居値を超えるものがあれば異常として開始からの経過時間を記録し血沈チューブ毎に用意された表示器５および制御装置３によって異常を知らせることも
出来る。
【００１８】
血沈チューブ毎に予め設定された終了時間にしたがって、計測終了時に得られた計測データを位置データに計算し赤血球沈降速度を記録し、血沈チューブ毎に用意された表示器５、および制御装置３によって完了を知らせる。
【発明の効果】
【００１９】
本発明のフォトセンサー１、を使用し位置を直読する手法によれば、通常使用されているＷｅｓｔｅｒｇｒｅｎ法で行われる市販の血沈台を使用することができ、取得データーは自動演算により正確な表示と報告をする。さらに連続測定を可能にし取得データーのレベルが格段に上がる。改めて本計測のために血沈台を購入する必要がなく、自動で沈降速度とその位置の計測が可能であるためオペレータを長時間拘束する必要がない。またＷｅｓｔｅｒｇｒｅｎ法による規定の時間通り測定を行うため、短時間で結果を出す方式のものとは異なり、より通常の赤血球沈降速度の値と同様の結果を得ることができる効果がある。
【図面の簡単な説明】
【００２０】
【図１】本発明の背面図である。
【図２】側面図である。
【図３】制御装置図である。
【発明を実施するための形態】
【００２１】
以下、本発明の実施例を図面にしたがって説明する。
【００２２】
図１は本装置の背面図である。フォトセンサー１の前方に血沈チューブ６が配置され、フォトセンサー保持機構７によってフォトセンサー１が保持されている。フォトセンサー１が測定できる測定可能血沈チューブ数は１０本であるが、本実施例では血沈チューブ１本分である。
【００２３】
フォトセンサー保持機構７には、計測開始用スイッチ４が血沈チューブ分用意されている。フォトセンサー１が測定することのできる測定可能血沈チューブ数は１０本であるためスイッチ４は１０個まで使用可能だが、本実施例によれば血沈チューブ６は１本用であるため、同様にスイッチ４も１個用意されている。
【００２４】
図２は本装置の側面図である。フォトセンサー１は血沈チューブから２〜５ｍｍ程度は離れた位置に配置され、フォトセンサー１が測定できる縦方向の範囲は０ｍｍ位置から２００ｍｍ程度までである。
【００２５】
図３は制御装置３の図である。制御装置３は信号処理を行う部分と表示する部分とからなり、フォトセンサー１からの信号とスイッチ４の信号および表示器５の信号はＵＳＢによって制御装置３と接続されている。
【００２６】
実施例では実際の血液を使うことができないため、赤インクと油を使用し測定値の確認を行ったが、実際の血液でもその境界線は判別することが可能である。
【符号の説明】
【００２７】
1               フォトセンサー
2               昇降機
3               制御装置
4               スイッチ 
5               表示器
6               血沈チューブ
7               フォトセンサー保持機構
【図１】
2016070746.tif 000003
【図２】
2016070746.tif 000004
【図３】
2016070746.tif 000005